(57)【特許請求の範囲】
【請求項１】
石材を用いた石張ブロックを製作する方法において、
前記石材は、前記石張ブロックの表側に現れる表面部と、該石張ブロック内に埋設される控え部と、を有し、
自然石を所定寸法に切断して前記石材を作成する、石材作成工程と、
複数の前記石材を、前記表面部が下面となる姿勢で型枠内に平面配置する、石材設置工程と、
前記石材が平面配置された型枠内に、コンクリートを打込む、コンクリート打込み工程と、
所定強度が発現するまでコンクリートを養生した後、型枠を脱型する、型枠脱型工程と、を備え、
前記石材作成工程では、前記石材の前記控え部があらかじめ定めた所定の控え長に満たないときは、当該石材の前記控え部に控えアンカーを打ち込んで取り付け、該控え部の長さと、該控えアンカーの長さと、によって所定の控え長が確保される、
ことを特徴とする石張ブロック製作方法。
【請求項２】
前記石張ブロックの裏面からその一部が突出するようにめくれ上がり防止アンカーを配置する、めくれ上がり防止アンカー設置工程を、
さらに備えたことを特徴とする請求項１記載の石張ブロック製作方法。
【請求項３】
前記石張ブロックの側面部に吊り具用アンカーを設ける、吊り具用アンカー設置工程と、
前記型枠脱型工程後、前記吊り具用アンカーに吊り具を取り付け、該吊り具を利用して前記石張ブロックを吊り上げるとともに、前記石材の表面部が上方となる姿勢で該石張ブロックを吊り降ろす、仮置き工程と、
をさらに備えたことを特徴とする請求項１又は請求項２記載の石張ブロック製作方法。
【請求項４】
石張ブロックを構成する石材であって、
自然石を所定寸法に切断した本体部と、控えアンカーと、を備え、
前記本体部は、前記石張ブロックの表側に現れる表面部と、該石張ブロック内に埋設される控え部と、を含んで構成され、
前記表面部は、側面視で概ね長方形であって、表面側から見ても概ね長方形であり、
前記控え部は、側面視で概ね錐形状であり、
前記控えアンカーは、前記本体部の前記控え部に打ち込まれて取り付けられ、
前記控え部の長さと、前記控えアンカーの長さと、によって所定の控え長を確保した、
ことを特徴とする石張ブロック用石材。
【請求項５】
前記控えアンカーの一端が、フック加工された、
ことを特徴とする請求項４記載の石張ブロック用石材。
【請求項６】
複数の石材が組み合わされて形成された石張ブロックであって、
複数の前記石材には、計画控え長が確保された適正石材と、計画控え長に満たない不足長石材と、が含まれ、
前記不足長石材は、表側に現れる表面部と、内部側に埋設される控え部と、を含んで構成され、
前記不足長石材の前記控え部には、控えアンカーが打ち込まれ、
前記控え部の長さと、前記控えアンカーの長さと、によって、前記不足長石材の計画控え長が確保された、
ことを特徴とする石張ブロック。
【発明の詳細な説明】
【技術分野】
【０００１】
本願発明は、自然石を用いた石材によって構築される石張ブロックに関するものであり、より具体的には、不足する控え長をアンカーで補充した石材と、これを利用して石張ブロックを製作する方法に関するものである。
【背景技術】
【０００２】
石張工は、河川堤防や堰を形成するために用いられ、また海や河川の護岸として、あるいはのり面保護工として施工されるもので、通常は自然石から切り出された石材を所定範囲に配置して形成される。一般的にこの石材は、石張工の表面に表れる「表面部」と、石張工の内部に埋設される「控え部」で構成される。表面部は角型（例えば、２５０ｍｍ×４００ｍｍ）とされるのが主流で、水流や物の衝突に対して直接的に保護する機能を有する。一方、控え部は設置される石材の安定を図るとともに、表面部の勾配を確保する機能を有する。
【０００３】
護岸工などでは、石張工と同様に間地ブロックが用いられることもある。人工的に製造された間地ブロックは、自然石による石材よりも低コストであるという長所がある反面、石材に比べるとやはり景観に劣り、また任意勾配には対応し難いといった短所がある。そのため、生活環境に近い河川護岸などでは、好んで石張工が採用されている。
【０００４】
石張工には、その構造によって、「空石張工」と「練石張工」に大別される。空石張工は、石材のみを配置した構造であり、練石張工は、控え部間に生ずる隙間にいわゆる胴込めコンクリートを打ち込んだ構造で、現場の条件等に応じて空石張工と練石張工が適宜選択される。さらに練石張工は、先にコンクリートを打ち込み硬化する前に石材を埋め込んでいく方法と、石材を配置した後にコンクリートを打ち込む方法とに分類される。
【０００５】
ところが、従来の石張り工のうち特に練石張工にはいくつかの問題があった。例えば、現地にて作業者が石材を配置すると目地幅が大きなってしまい、この目地部のコンクリートが浸食を受けるという問題が挙げられる。また、石材配置後に胴込めコンクリートを打ち込む場合は、複数の控え部によって狭隘かつ複雑な空間が形成されることから、コンクリートが十分に充填されず、確実に締固めを行うことも困難となる。さらに、河川護岸の場合、胴込めコンクリートの打込みによるアルカリ排水が河川内に流出するおそれがあり、あるいは河川内工事が長期化することから洪水等の影響を受ける可能性が高くなる。
【０００６】
そこで、あらかじめ現地以外の場所で石張ブロックを製作することで、現地における施工期間の短縮を図る技術がこれまでも提案されている。例えば特許文献１は、自然石を配置した型枠内にコンクリートを打ち込み、これによって得られた石垣ブロックを目的の場所に設置する技術を提案している。
【先行技術文献】
【特許文献】
【０００７】
【特許文献１】特開平８−１１２８０７号公報
【発明の概要】
【発明が解決しようとする課題】
【０００８】
特許文献１で提案される技術は、胴込めコンクリート工を現地以外の場所（例えば、ヤードや工場）で行うことから、アルカリ排水が河川内に流出するおそれがなく、また河川内工事の短縮化が図られるため、洪水等の影響を受ける可能性が軽減される。さらに、少なくとも現地よりも施工環境がよいことから、胴込めコンクリートの品質も向上することが期待できる。
【０００９】
しかしながら、特許文献１では従来技術が抱える大きな問題を解決することができない。石材は自然石から切り出されるため、必ずしも全てが所望の寸法どおりとはならない。中には、表面部のサイズが不足するものもあれば、控え部に求められる所定の控え長（例えば、３００ｍｍ）に届かないものもある。このうち、所定の控え長に満たない石材は、回転しやすいため「めくれ上がり」を生じやすく、重量が小さいことから「抜け落ち」のおそれもある。この問題はかねてから指摘されていたが、これまで有効な対策が見いだせず、特許文献１に記載の技術もこの問題に対しては解決することができない。
【００１０】
本願発明の課題は、従来技術が抱える問題を解決することであり、すなわち、所定の控え長が不足する石材を用いたとしても、完成後に石材が「めくれ上がり」や「抜け落ち」を生ずることがない石張ブロックを製作する方法、及びこの石張ブロックに用いる石材を提供することである。
【課題を解決するための手段】
【００１１】
本願発明は、所定の控え長が不足する石材に対して控えアンカーを取り付けることで、所定の控え長を確保する、という点に着目してなされたものであり、これまでにない発想に基づいて行われたものである。
【００１２】
本願発明の石張ブロック製作方法は、石材を用いた石張ブロックを製作する方法であり、石材設置工程、コンクリート打込み工程、型枠脱型工程を備えた方法である。なおこの石材は、表面部（石張ブロックの表側に現れる部分）と控え部（石張ブロック内に埋設される部分）するものである。石材設置工程では、表面部が下面となる姿勢で複数の石材が型枠内に平面配置される。またコンクリート打込み工程では、石材が平面配置された型枠内に胴込めコンクリートが打込まれ、型枠脱型工程では、所定強度が発現するまでコンクリートを養生した後で型枠が脱型される。
【００１３】
本願発明の石張ブロック製作方法は、石材作成工程をさらに備えた方法とすることもできる。この石材作成工程では、自然石を所定寸法に切断して石材が作成される。なお石材作成工程において、所定の控え長に満たない石材に対しては、その控え部に控えアンカーを打ち込んで取り付け、控え部と控えアンカーの長さによって所定の控え長を確保する。
【００１４】
本願発明の石張ブロック製作方法は、めくれ上がり防止アンカー設置工程をさらに備えた方法とすることもできる。このめくれ上がり防止アンカー設置工程は、コンクリート打込み工程前に行われ、石張ブロックの裏面からその一部が突出するように「めくれ上がり防止アンカー」が配置され、その状態でコンクリートが打ち込まれる。
【００１５】
本願発明の石張ブロック製作方法は、吊り具用アンカー設置工程と仮置き工程をさらに備えた方法とすることもできる。吊り具用アンカー設置工程は、コンクリート打込み工程前に行われ、石張ブロックの側面部に「箱抜き体」を設置し、その状態でコンクリートが打ち込まれる。また仮置き工程は、型枠脱型工程後に行われ、吊り具用アンカーに「吊り具」を取り付け、この吊り具を利用して石張ブロックを吊り上げるとともに、石材の表面部が上方となる姿勢で石張ブロックを吊り降ろす。
【００１６】
本願発明の石張ブロック用石材は、石張ブロックを構成する石材であって、自然石を所定寸法に切断した「本体部」と、「控えアンカー」を備えたものである。本体部は、表面部（石張ブロックの表側に現れる部分）と控え部（石張ブロック内に埋設される部分）を含んで構成され、控えアンカーは、本体部の控え部に打ち込まれて取り付けられる。この控えアンカーの長さと、控え部の長さによって、所定の控え長が確保される。
【発明の効果】
【００１７】
本願発明の石張ブロック製作方法、及び石張ブロック用石材には、次のような効果がある。
（１）控え部だけでは所定の控え長が確保できない石材であっても、控えアンカーを取り付けることで十分な控え長が確保できるため、石張ブロック設置後に石材の「めくれ上がり」や「抜け落ち」を防ぐことができる。
（２）ヤードや工場など現地以外の場所で胴込めコンクリート工を行うことから、河川内にアルカリ排水が流出するおそれがない。
（３）また、石張ブロックをヤード等で製作することから、河川内工事の短縮化を図ることができる。この結果、洪水等の影響を受ける可能性も軽減される。
（４）石張ブロックを製作するヤード等は、少なくとも現地（例えば、河川内）よりも施工環境が良く、コンクリートの締固め作業が容易となるうえ、コンクリートの充填状況も確認できることから、石張ブロックの品質も向上する。
（５）さらに、ヤード等で石材を配置することから目地幅を小さくすることができ、すなわち表面におけるコンクリート部分が小さくなり、その結果、耐摩耗性も向上する。
【図面の簡単な説明】
【００１８】
【図１】石張ブロックの正面図。
【図２】本願発明の石張ブロック製作方法の主な工程の流れを示すフロー図。
【図３】（ａ）は所定の控え長が確保された石材の形状を示す断面図、（ｂ）は所定の控え長が不足する石材の形状を示す断面図。
【図４】（ａ）は型枠組み立てを示すステップ図、（ｂ）は石材の設置を示すステップ図、（ｃ）は胴込めコンクリートの打ち込みを示すステップ図。
【図５】（ａ）はめくれ上がり防止アンカーが設けられた石張ブロックを示す断面図、（ｂ）はめくれ上がり防止アンカーが設けられた石張ブロックを示す平面図。
【図６】（ａ）は表面側が下面となる姿勢で石張ブロックを吊り上げるステップ図、（ｂ）は表面側が上面となる姿勢で石張ブロック１０を吊り降ろすステップ図。
【図７】（ａ）は内部側が上面となる姿勢で石張ブロック１０を吊り上げたステップ図、（ｂ）は傾けた姿勢で石張ブロック１０を吊り上げたステップ図、（ｃ）は鉛直姿勢で石張ブロック１０を吊り上げたステップ図、（ｄ）は表面側が上面となる姿勢で石張ブロック１０を吊り上げたステップ図。
【発明を実施するための形態】
【００１９】
本願発明の石張ブロック製作方法、及び石張ブロック用石材の実施形態の一例を、図に基づいて説明する。
【００２０】
１．石張ブロック
はじめに、石張ブロックについて説明する。図１は、石張ブロック１０を正面から見た図である。なお、ここでいう正面とは、この石張ブロック１０を河川堤防や護岸工として設置した際の表面側（外側）のことであり、以下では便宜上、石張ブロック１０を設置した際の正面側を「表面側」と、堤防や護岸工の内部に配置される後方を「内部側」ということとする。
【００２１】
石張ブロック１０は、図１に示すように複数の石材２０が組み合わされて形成される。なお、この図では縦７個×横８個の配置としているが、もちろん利用目的に応じて適宜任意の配置を選定することができる。また、この図ではいわゆる布積み型の配列としているが、谷積み型の配列とするなど他に配列で計画してもよい。石張ブロック１０は、設置する現地（以下、単に「現地」という。）で製作することもできるが、現地とは別に確保したヤードや工場等（以下、「製作ヤード」という。）で製作した方が、現地での工程を短縮できるため好適である。図１では石材２０のみを示しているが、後述するように石材２０の背面（つまり、内部側）は胴込めコンクリートで固められており、石張ブロック１０全体として一体化されている。
【００２２】
２．石材作成工程
次に、図２を参照しながら本願発明について詳しく説明する。図２は、本願発明の石張ブロック製作方法の主な工程の流れを示すフロー図である。まず、所望の石材２０を切り出すための自然石を選別する。このとき、切り出した石材２０は所定の強度が得られるか、所望の形状や数量が得られるか、などの点に着目して選別する。自然石が選別されると、あらかじめ定められた所定寸法で石材２０を切り出していく（Ｓｔｅｐ１０）。なお、購入等によって所定寸法の石材２０があらかじめ用意されている場合は、この石材作成工程（Ｓｔｅｐ１０）は省略することができる。
【００２３】
図３は、石材２０の形状を示す断面図であり、（ａ）は所定の控え長が確保された石材を示し、（ｂ）は所定の控え長が不足する石材を示している。この図に示すように石材２０は、側面視で概ね長方形となる表面側の部分と、概ね錐形状（テーパー状）となる内部側の部分で構成されており、ここでは表面側の部分を「表面部２１」、内部側の部分を「控え部２２」ということとする。
【００２４】
表面部２１は、図１に示すように表面側から見ても概ね長方形であり、例えば２５０ｍｍ×４００ｍｍといった寸法と形状で計画される。控え部２２は、設置した石材２１を安定させ、「めくれ上がり」を防止するもので、控え部２２の長さ（つまり、控え長）は事前に計画された長さ（以下、「計画控え長Ｌ」という。）が確保されるように切り出される。
【００２５】
ところで、石材２０を自然石から切り出す場合、図３（ａ）に示すように計画控え長Ｌが確保された石材２０（以下、便宜上「適正石材２０ａ」という。）ばかりではなく、中には図３（ｂ）に示すように計画控え長Ｌにやや満たない石材２０（以下、便宜上「不足長石材２０ｂ」という。）が切り出されることもある。この不足長石材２０ｂは利用しないとすることもできるが、自然資源をより有効活用するためには不足長石材２０ｂも積極的に利用することが望ましい。
【００２６】
そこで、不足長石材２０ｂに対しては、控え部２２の最も内部側（先端）となる位置に控えアンカー２３を取り付ける。この控えアンカー２３は、鉄筋（例えば、Ｄ１６）を利用することができ、その先端は胴込めコンクリートに定着するようフック加工するとよい。この控えアンカー２３は、控え部２２の所定位置に削孔した小孔に打ち込んで（例えば、１００ｍｍ程度）取り付けることができる。このように、不足長石材２０ｂに控えアンカー２３を取り付けることで、計画控え長Ｌが確保できるとともに、控えアンカー２３（特にフック部分）が胴込めコンクリートに確実に定着されることで、「めくれ上がり」や「抜け落ち」を防ぐことができるわけである。
【００２７】
なお、控えアンカー２３は、図３（ｂ）の上部に示すように、不足長石材２０ｂの控え部２２と控えアンカー２３の突出長を合わせて計画控え長Ｌ（例えば、３００ｍｍ）とすることもできるし、図３（ｂ）の下部に示すように、不足長石材２０ｂの控え部２２と控えアンカー２３の突出長を合わせると、計画控え長Ｌを超えるように取り付けてもよい。すべてを計画控え長Ｌとするには、個別に控えアンカー２３の長さを調整する必要があるため、この手間を省くべくある程度定形の長さの控えアンカー２３を用意しておく。そして、その不足長石材２０ｂに最も合った長さの控えアンカー２３を利用し、場合によっては計画控え長Ｌを超えるものも許容する。ただし、控え部２２と控えアンカー２３の合計長は、石張ブロック１０の厚さを超えないよう調整する方がよい。
【００２８】
３．石材設置工程
予定した石材２０が作成されると、これら石材２０を型枠内に設置していく。図４は、型枠の組み立てから胴込めコンクリートの打ち込みまでの一連の工程を示すステップ図であり、（ａ）は型枠組み立てを示し、（ｂ）は石材２０の設置を示し、（ｃ）は胴込めコンクリートの打ち込みを示す。
【００２９】
図４（ａ）に示すように、製作ヤードの所定位置に型枠３０を組み立てていく（Ｓｔｅｐ２０）。型枠３０は側壁部のみ用意し、底面部は製作ヤードのコンクリート床や整地された地面を利用することができる。あるいは、底面部に桟木４０を並べるとともに敷き砂５０を敷設してもよい（Ｓｔｅｐ３０）。図４（ｂ）に示すように、石材２０は敷き砂５０の上に配置されることから、敷き砂５０の効果で石材２０の表面部２１へのコンクリート付着を防ぐことかでき、また石材２０を設置した際に表面部２１の不陸を敷き砂５０で補うことができる。したがって敷き砂５０は、桟木４０の上面を若干超す高さまで敷設するとよい。
【００３０】
型枠３０が組み立てられると、図４（ｂ）に示すように石材２０を敷き砂５０（あるいはコンクリート床や地面）上に配置していく（Ｓｔｅｐ４０）。このとき、表面部２１が下方、控え部２２が上方となる姿勢で石材２０は設置される。つまり製作段階では、石張ブロック１０は表面側が下面となる姿勢となるわけである。計画したすべての石材２０が設置できると、その上面（つまり、控え部２２の先端）に補強用の金網６０が設置される。設置された金網６０は、いわば計画控え長Ｌの境界線ともいえるわけであり、控えアンカー２３を含めると全ての石材２０がこの境界線に到達していることがわかる。
【００３１】
石材２０の設置後に、めくれ上がり防止アンカー７０を設置することもできる（Ｓｔｅｐ５０）。図５は、めくれ上がり防止アンカー７０が設けられた石張ブロック１０の詳細を示す図であり、（ａ）は断面図、（ｂ）は平面図である。めくれ上がり防止アンカー７０は、鉄筋（例えば、Ｄ２２）など棒状の部材であり、設置した石張ブロック１０の「めくれ上がり」を防止するために設置されるものである。したがって、めくれ上がり防止アンカー７０は、図５（ａ）に示すように石張ブロック１０の内部側（背面側）に設けられる。なお、石張ブロック１０への定着長は十分確保する必要があり、例えば４００ｍｍの全長に対して２００ｍｍが定着長となるようめくれ上がり防止アンカー７０を設置する。また、めくれ上がり防止アンカー７０は、図５（ｂ）に示すように１つの石張ブロック１０に対して複数箇所（この図では４箇所）に配置するとよい。
【００３２】
なお、コンクリート打込み前のめくれ上がり防止アンカー７０は、図４（ｂ）に示すように下方に支えがない位置で配置されるため、金網６０を利用して固定したり、図示しない架台（いわゆる馬筋など）を利用して固定したり、他の部材等を利用して固定するとよい。
【００３３】
さらに、石材２０の設置後に、吊り具用アンカーを形成するための箱抜き体８０を設置することもできる（Ｓｔｅｐ６０）。この吊り具用アンカーは、完成後の石張ブロック１０を吊り上げる際に利用する「吊り具」を挿入するために設けられる空洞部であり、コンクリート打込み前に中空の箱抜き体８０を配置しておくことで形成される。箱抜き体８０もめくれ上がり防止アンカー７０と同様、下方に支えがない位置で配置されるため、架台等を利用して固定するとよい。なお図４（ｂ）では、左右の側壁部に１箇所ずつ中空の箱抜き体８０を設置（つまり、吊り具用アンカーを形成）しているが、１つの側壁に対して２箇所以上設置してもよい。また、２つの側壁部に限らず、全ての側壁部に箱抜き体８０を設置することもできる。
【００３４】
４．コンクリート打ち込み工程
石材２０の設置、あるいはめくれ上がり防止アンカー７０や箱抜き体８０の設置を終えると、型枠３０の上部開放面から胴込めコンクリート９０を打ち込む（Ｓｔｅｐ７０）。このとき、隣り合う石材２０の控え部２２間で形成される空間内にコンクリートが充填されていることを確認しながら、高周波バイブレータ等で締固めを行う。
【００３５】
胴込めコンクリート打込み後は、レイタンス処理を行いながら、適正な環境でコンクリート養生を行う（Ｓｔｅｐ８０）。そして、十分な養生期間を経て目標のコンクリート強度が発現すると、型枠３０の脱型を行う（Ｓｔｅｐ９０）。
【００３６】
５．石張ブロックの仮置き工程
型枠３０が脱型されると、石張ブロックを吊り上げ、上下反転させて仮置きする（Ｓｔｅｐ１００）。図６は、石張ブロック１０を仮置きする工程を示すステップ図であり、（ａ）は表面側が下面となる姿勢で石張ブロック１０を吊り上げる状況を示し、（ｂ）は表面側が上面となる姿勢で石張ブロック１０を吊り降ろす状況を示す。ここまで一連の工程は、施工の容易さから石張ブロック１０の表面側を下面として行ってきたが、ひととおり完成した後は石材２０の表面を確認すべく石張ブロック１０を反転させる。
【００３７】
図６（ａ）に示すように型枠脱型後の石張ブロック１０を、揚重機等を利用して吊り上げる。なお図６では便宜上、揚重機から降ろされた吊り上げ用のワーヤーロープＷＲのみを示している。石張ブロック１０を吊り上げるためには台付ワーヤーロープ等を利用することもできるが、吊り具用アンカー１００が形成（つまり、箱抜き体８０が設置）されている場合は、この吊り具用アンカー１００を利用して吊り上げるとよい。具体的には、吊り具用アンカー１００に吊り具１１０を挿入し、この吊り具１１０に揚重機からのワイヤーロープのシャックル等を取り付けて吊り上げる。この吊り具１１０は、従来から用いられている市販品等を利用することができ、特に回転自在のプロフィリフトベータを用いると好適である。
【００３８】
吊り上げられた石張ブロック１０を上下反転して、表面側が上面となる姿勢とする。ここで、石張ブロック１０を上下反転する方法について、図７を参照しながら詳しく説明する。なお図７は、図６とは異なる方向から見た石張ブロック１０の側面図であり、（ａ）は内部側が上面となる姿勢で石張ブロック１０を吊り上げたステップ図、（ｂ）は傾けた姿勢で石張ブロック１０を吊り上げたステップ図、（ｃ）は鉛直姿勢で石張ブロック１０を吊り上げたステップ図、（ｄ）は表面側が上面となる姿勢で石張ブロック１０を吊り上げたステップ図である。
【００３９】
まず、図７（ａ）に示すように、内部側が上面で略水平姿勢となるよう石張ブロック１０を揚重機等で吊り上げる。このとき、吊り上げ用のワーヤーロープＷＲのうち、２本の主巻きＷｍと２本の補巻きＷｓの４本のワーヤーロープで吊り上げる。なお、図７では便宜上、主巻きＷｍ、補巻きＷｓともに１本のみを示しているが、図の奥行方向にそれぞれもう１本ずつ吊り下げられている。石張ブロック１０が内部側上面の略水平姿勢とされると、図７（ｂ）に示すように２本の補巻きＷｓを降ろしていき、石張ブロック１０を徐々に回転させる。このとき、吊り具１１０も回転する（捩れる）ため、回転自在のプロフィリフトベータを吊り具１１０として採用するとよい。
【００４０】
図７（ｂ）の状態から石張ブロック１０が鉛直姿勢となるまで２本の補巻きＷｓをさらに降ろしていき、石張ブロック１０の自重を２本の主巻きＷｍのみに預ける（図７（ｃ））。そして、２本の補巻きＷｓを吊り具１１０から一旦外し、２本の補巻きＷｓを表面側から回したうえで再度吊り具１１０に取り付ける。その状態で、２本の補巻きＷｓを吊り上げると石張ブロック１０が回転していき、石張ブロック１０を表面側が上面で略水平姿勢とする（図７（ｄ））。
【００４１】
表面側が上面となる姿勢になると、図６（ｂ）に示すように、その状態のまま石張ブロック１０を吊り降ろす。このとき、石張ブロック１０にめくれ上がり防止アンカー７０が設けられていると設置の際にこれが障害となるため、図６（ｂ）に示す設置台１２０や角材等を用意し、この上に石張ブロック１０を載置するとよい。表面側が上面となる姿勢で石張ブロック１０が仮置きされると、表面に付着した敷き砂５０などの異物を洗い落とすための洗浄を行う。
【産業上の利用可能性】
【００４２】
本願発明の石張ブロック製作方法、及び石張ブロック用石材は、河川や海岸などの護岸工のほか、自然斜面やのり面の保護工としても利用することができ、景観に配慮すべき場所で特に有効に利用できる。
【符号の説明】
【００４３】
１０    石張ブロック
２０    石材
２０ａ  適正石材
２０ｂ  不足長石材
２１    （石材の）表面部
２２    （石材の）控え部
２２    （石材の）控えアンカー
３０    型枠
４０    桟木
５０    敷き砂
６０    金網
７０    めくれ上がり防止アンカー
８０    箱抜き体
９０    胴込めコンクリート
１００  吊り具用アンカー
１１０  吊り具
１２０  設置台
ＷＲ    吊り上げ用のワーヤーロープ
Ｗｍ    （吊り上げ用のワーヤーロープの）主巻き
Ｗｓ    （吊り上げ用のワーヤーロープの）補巻き
【図１】
0006728534.tif 000002
【図２】
0006728534.tif 000003
【図３】
0006728534.tif 000004
【図４】
0006728534.tif 000005
【図５】
0006728534.tif 000006
【図６】
0006728534.tif 000007
【図７】
0006728534.tif 000008